(57)【要約】【課題】  本体に対して撮像部が回動自在に構成された撮像装置において、撮像装置全体に対する撮像部の大きさに占める割合を小さくすると共に、撮像部の回動状態によってストロボ発光部の発光量を制御する、撮像装置、ストロボ撮影方法、及びプログラムの提供【解決手段】  デジタルカメラ１００は本体部にメインストロボ発光部３を有し、レンズ部にメインストロボ発光部３より発光容量上限の小さなサブストロボ発光部６を有している。制御部２２は回転検出部３１からの検出信号により、本体部に対するレンズ部の回転角度を判定し、判定した回転角度に応じてメインストロボ発光部駆動部３３及び／又はサブストロボ発光部駆動部３４に駆動信号を送出し、メインストロボ発光部３及びサブストロボ発光部６の発光制御を行う。【選択図】  図２
2006098857.tif 000002
【特許請求の範囲】
【請求項１】
撮像装置本体の一面側に画像表示部を配置し、本体における水平方向の側面部に対して回動自在に取り付けられ、且つ水平方向に軸支された撮像部とからなる撮像部回動型撮像装置であって、
前記本体に配置された画像表示部とは反対側の面に設けられた第１のストロボ発光部と、前記撮像部に設けられている撮像レンズと同一面に設けられ、前記第１のストロボ発光部とは相対的に発光容量上限の小さな第２のストロボ発光部と、前記撮像部の回動状態を検出して検出信号を出力する回転検出部と、前記回転検出部からの検出信号を基に前記第１及び第２のストロボ発光部の発光制御を行う発光制御部と、を備えたことを特徴とする撮像装置。
【請求項２】
撮像装置本体の一面側に画像表示部を配置し、本体における水平方向の側面部に対して回動自在に取り付けられ、且つ水平方向に軸支された撮像部とからなる撮像部回動型撮像装置におけるストロボ撮影方法であって、
前記撮像部の回動状態を検出する工程と、該撮像部の回転状態に対応して前記本体に設けられている第１のストロボ発光部及び／又は前記撮像部に設けられている前記第１のストロボ発光部とは相対的に発光容量上限の小さな第２のストロボ発光部のいずれを発光させるかを決定する工程と、
ストロボ撮影時に、前記発光決定されたストロボ発光部を発光させる工程と、
を備えたことを特徴とするストロボ撮影方法。
【請求項３】
前記発光させるストロボ発光部を決定する工程は、前記撮像部に設けられている撮像レンズの面が前記本体の正面と平行なとき前記第１のストロボ発光部の発光のみを決定する工程であることを特徴とする請求項２記載のストロボ撮影方法。
【請求項４】
前記発光させるストロボ発光部を決定する工程は、前記撮像部に設けられている撮像レンズの面が前記本体の正面と平行なとき前記第１及び第２のストロボ発光部の発光を決定する工程であることを特徴とする請求項２記載のストロボ撮影方法。
【請求項５】
前記発光させるストロボ発光部を決定する工程は、前記撮像部の回動位置が前記本体に対して所定の角度以内の場合は前記第１のストロボ発光部の発光のみを決定する工程であることを特徴とする請求項２記載のストロボ撮影方法。
【請求項６】
前記発光させるストロボ発光部を決定する工程は、前記撮像部の回動位置が前記本体に対して所定の角度以内の場合は前記第１及び第２のストロボ発光部の発光を決定する工程であることを特徴とする請求項２記載のストロボ撮影方法。
【請求項７】
前記発光させるストロボ発光部を決定する工程は、前記撮像部に設けられている撮像レンズの方向が前記本体の背面に設けられている表示画面の方向と反対方向のとき前記第２のストロボ発光部のみの発光を決定する工程であることを特徴とする請求項２記載のストロボ撮影方法。
【請求項８】
前記発光させるストロボ発光部を決定する工程は、前記撮像部回動位置が前記本体に対して所定の角度を超える場合は前記第２のストロボ発光部のみの発光を決定する工程であることを特徴とする請求項２記載のストロボ撮影方法。
【請求項９】
前記発光させるストロボ発光部を決定する工程は、前記撮像部の回動状態に対応した前記第１及び／又は第２のストロボ発光部の発光量の上限を決定する工程であることを特徴とする請求項２記載のストロボ撮影方法。
【請求項１０】
前記発光させるストロボ発光部を決定する工程は、前記撮像部における撮影条件に対応して前記第１及び／又は第２のストロボ発光部の発光量の上限を決定する工程であることを特徴とする請求項２記載のストロボ撮影方法。
【請求項１１】
前記発光させるストロボ発光部を決定する工程は、動画撮影時には前記第２のストロボ発光部のみの発光を決定する工程であることを特徴とする請求項２記載のストロボ撮影方法。
【請求項１２】
撮像装置本体の一面側に画像表示部を配置し、本体における水平方向の側面部に対して回動自在に取り付けられ、且つ水平方向に軸支された撮像部とからなる撮像部回動型撮像装置において実行可能なプログラムであって、
前記撮像部の回動状態を検出させるプログラムステップと、該検出した回動状態と該撮像部の回転状態に対応し設定されている発光ストロボ決定条件から前記本体に設けられている第１のストロボ発光部及び／又は前記撮像部に設けられている第２のストロボ発光部のいずれを発光させるかを決定させるプログラムステップと、
ストロボ撮影指示を検出するプログラムステップと、ストロボ撮影指示を検出したとき、前記発光決定されたストロボ発光部を発光させるプログラムステップと、
を備えたことを特徴とするプログラム。
【発明の詳細な説明】
【技術分野】
【０００１】
本発明は、撮像装置本体の一面側に画像表示部を配置し、本体における水平方向の側面部に対して回動自在に取り付けられ、且つ水平方向に軸支された撮像部とからなり、ストロボ発光部装置を備えた撮像装置、ストロボ撮影方法、及びプログラムに関する。
に関する。
【背景技術】
【０００２】
デジタル装置等の撮像装置では、撮像部が本体の一面側に設けられ、画像表示部が撮像部の設けられた面とは反対の面に設けられているものが多いが、撮像装置本体の一面側に画像表示部を配置し、本体における水平方向の側面部に対して回動自在に取り付けられ、且つ水平方向に軸支された撮像部とからなる撮像装置がある（例えば、特許文献１）。
【０００３】
【特許文献１】特許第２９８５７４３号
【発明の開示】
【発明が解決しようとする課題】
【０００４】
上記特許文献１に開示の撮像装置では図６に示すようにカメラ本体１に対してレンズ部（撮像部）５が回動自在に構成され、レンズ部５には撮像レンズ７が配されるが、ストロボ発光部装置を備えたカメラの場合、撮影上、撮像レンズと同じ側にストロボ発光部を必要とするため、図示のように回動するレンズ部５にストロボ発光部１０を設けることとなるので、設計上、回動するレンズ部５がカメラ全体の大きさに占める割合が大きくなってしまい、カメラ全体のバランスがよくないといった課題があった。
【０００５】
ここで、本体１とレンズ部５の双方にストロボ発光部を設けることにより、撮像装置全体に対するレンズ部５大きさに占める割合を小さくしてバランスのよい撮像装置を設計し得ることが期待でき、上記課題の解決を図ることができる。また、レンズ部５の回動状態によって２つのストロボ発光部の発光を制御することができれば操作上の便宜性の向上が期待できる。
【０００６】
本発明は、本体に対して撮像部が回動自在に構成された撮像装置において、撮像装置全体に対する撮像部の大きさに占める割合を小さくすると共に、撮像部の回動状態によってストロボ発光部の発光を制御する、撮像装置、ストロボ撮影方法、及びプログラムの提供を目的とする。
【課題を解決するための手段】
【０００７】
上記課題を解決するために、請求項１に記載の発明は、撮像装置本体の一面側に画像表示部を配置し、本体における水平方向の側面部に対して回動自在に取り付けられ、且つ水平方向に軸支された撮像部とからなる撮像部回動型撮像装置であって、本体に配置された画像表示部とは反対側の面に設けられた第１のストロボ発光部と、撮像部に設けられている撮像レンズと同一面に設けられ、第１のストロボ発光部とは相対的に発光容量上限の小さな第２のストロボ発光部と、撮像部の回動状態を検出して検出信号を出力する回転検出部と、回転検出部からの検出信号を基に第１及び第２のストロボ発光部の発光制御を行う発光制御部と、を備えたことを特徴とする撮像装置を提供する。  
これにより、本体と撮像部にそれぞれストロボ発光部を設け、撮像部側のストロボ発部の発光容量上限を本体部ストロボ発光部の発光容量上限より小さくしたことにより撮像部側のストロボ発光部を小さくできることから撮像部を小さくできるので撮像装置全体に対する撮像部の大きさに占める割合が小さくなり、バランスのよい撮像装置を提供できる。また、撮像部の回動によって２つのストロボ発光部の発光を制御することができるのでユーザはストロボ発光制御操作を意識しなくて済む。
【０００８】
また、請求項２に記載の発明では、撮像装置本体の一面側に画像表示部を配置し、本体における水平方向の側面部に対して回動自在に取り付けられ、且つ水平方向に軸支された撮像部とからなる撮像部回動型撮像装置におけるストロボ撮影方法であって、撮像部の回動状態を検出する工程と、該撮像部の回転状態に対応して本体に設けられている第１のストロボ発光部及び／又は撮像部に設けられている第１のストロボ発光部とは相対的に発光容量上限の小さな第２のストロボ発光部のいずれを発光させるかを決定する工程と、ストロボ撮影時に、発光決定されたストロボ発光部を発光させる工程と、を備えたことを特徴とするストロボ撮影方法を提供する。  
これにより、撮像装置は撮像部の回動によって２つのストロボ発光部の発光を制御することができるのでユーザはストロボ発光部の切替を意識しなくて最適な発光状態になる。
【０００９】
また、請求項３に記載の発明では、発光させるストロボ発光部を決定する工程は、撮像部に設けられている撮像レンズの面が本体の正面と平行なとき第１のストロボ発光部の発光のみを決定する工程であることを特徴とする請求項２記載のストロボ撮影方法を提供する。  
これにより、「相手撮り」の場合は発光容量上限の大きい本体側のストロボを用いるので「自分撮り」や「顕微鏡モード」より距離の離れた被写体の多い「相手撮り」の場合に被写体の周辺光量に必要光量を補充できる。
【００１０】
また、請求項４に記載の発明では、発光させるストロボ発光部を決定する工程は、撮像部に設けられている撮像レンズの面が本体の正面と平行なとき第１及び第２のストロボ発光部の発光を決定する工程であることを特徴とする請求項２記載のストロボ撮影方法を提供する。  
これにより、「相手撮り」の場合は本体側のストロボ発光部と撮像部側のストロボ発光部を用いるので「自分撮り」や「顕微鏡モード」より距離の離れた被写体の多い「相手撮り」の場合に被写体の周辺光量に必要光量を十分に補充できる。
【００１１】
また、請求項５に記載の発明では、発光させるストロボ発光部を決定する工程は、撮像部の回動位置が本体に対して所定の角度以内の場合は第１のストロボ発光部の発光のみを決定する工程であることを特徴とする請求項２記載のストロボ撮影方法を提供する。  
これにより、撮像部の回動がわずかな場合は「相手撮り」状態なので第１のストロボ発光部のみを発光させて被写体の周辺光量に必要光量を補充することができる。
【００１２】
また、請求項６に記載の発明では、発光させるストロボ発光部を決定する工程は、撮像部の回動位置が本体に対して所定の角度以内の場合は第１及び第２のストロボ発光部の発光を決定する工程であることを特徴とする請求項２記載のストロボ撮影方法を提供する。
これにより、撮像部の回動がわずかな場合は「相手撮り」状態なので本体側のストロボ発光部のみを発光させて被写体の周辺光量に必要光量を十分補充することができる。
【００１３】
また、請求項７に記載の発明では、発光させるストロボ発光部を決定する工程は、撮像部に設けられている撮像レンズの方向が本体の背面に設けられている表示画面の方向と反対方向のとき第２のストロボ発光部のみの発光を決定する工程であることを特徴とする請求項２記載のストロボ撮影方法を提供する。  
これにより、「相手撮り」の場合は被写体との距離が短いことから、発光容量上限の少ない撮像部側のストロボ発光部を用いても被写体の周辺光量に必要光量を十分補充することができる。
【００１４】
また、請求項８に記載の発明では、発光させるストロボ発光部を決定する工程は、撮像部回動位置が本体に対して所定の角度を超える場合は第２のストロボ発光部のみの発光を決定する工程であることを特徴とする請求項２記載のストロボ撮影方法を提供する。  
これにより、撮像部の回動が大きな場合は「相手撮り」又は「顕微鏡モード」状態なので被写体との距離が短いことから、発光容量上限の少ない撮像部側のストロボ発光部を用いても被写体の周辺光量に必要光量を十分補充することができる。
【００１５】
また、請求項９に記載の発明では、発光させるストロボ発光部を決定する工程は、撮像部の回動状態に対応した第１及び／又は第２のストロボ発光部の発光量の上限を決定する工程であることを特徴とする請求項２記載のストロボ撮影方法を提供する。  
これにより、撮像部の回動状態に応じて各ストロボ発光部の発光量を変えることができる。
【００１６】
また、請求項１０に記載の発明では、発光させるストロボ発光部を決定する工程は、撮像部における撮影条件に対応して第１及び／又は第２のストロボ発光部の発光量の上限を決定する工程であることを特徴とする請求項２記載のストロボ撮影方法を提供する。  
これにより、撮影条件に応じて各ストロボ発光部の発光量を変えることができる。
【００１７】
また、請求項１１に記載の発明では、発光させるストロボ発光部を決定する工程は、動画撮影時には第２のストロボ発光部のみの発光を決定する工程であることを特徴とする請求項２記載のストロボ撮影方法を提供する。  
これにより、動画撮影時には、発光容量上限の少ない撮像部側ストロボのみを用いるので、撮影枚数の多い動画撮影でストロボ発光部の充電時間が短くて済み撮影に間に合わせることができるし、ストロボ発光による電池の消耗をある程度少なくできる。  
【００１８】
また、請求項１２に記載の発明では、撮像装置本体の一面側に画像表示部を配置し、本体における水平方向の側面部に対して回動自在に取り付けられ、且つ水平方向に軸支された撮像部とからなる撮像部回動型撮像装置において実行可能なプログラムであって、撮像部の回動状態を検出させるプログラムステップと、該検出した回動状態と該撮像部の回転状態に対応し設定されている発光ストロボ決定条件から本体に設けられている第１のストロボ発光部及び／又は撮像部に設けられている第２のストロボ発光部のいずれを発光させるかを決定させるプログラムステップと、ストロボ撮影指示を検出するプログラムステップと、ストロボ撮影指示を検出したとき、発光決定されたストロボ発光部を発光させるプログラムステップと、を備えたことを特徴とするプログラムを提供する。  
これにより、撮像装置は撮像部の回動によって２つのストロボ発光部の発光を制御することができるのでユーザはストロボ発光部の切替を意識しなくて最適な発光状態にできる。
【発明の効果】
【００１９】
本発明によれば、撮像装置は、本体に第１のストロボ発光部を設け、回動する撮像部に第１のストロボ発光部より発光容量が小さなストロボ発光部を設けことにより撮像部側のストロボ発光部が小さくなることから撮像部を小さくできるので、撮像装置全体に対する撮像部部の大きさに占める割合が小さくなり、バランスのよい撮像装置を提供できる。また、撮像部の回動によって２つのストロボ発光部の発光を制御することができるので操作上の便宜性が向上した。
【発明を実施するための最良の形態】
【００２０】
以下、本発明について説明する。以下の説明では撮像装置として、前面に撮像レンズとストロボ発光部等を設けたレンズ部が本体に対して回動可能なレンズ部回動式のデジタルカメラを例として説明するが、これに限定されず、本発明は、上面或いは底面に撮像カメラとストロボ発光部等を設けたレンズ部が本体に対して回動可能なレンズ部回動式の撮像装置にも適用できる。
【００２１】
図１は本発明の撮影方法を適用可能なレンズ部回動式デジタルカメラ１００の外部構成の概要説明図である。  
図１（ａ）はデジタルカメラ１００の正面図である。デジタルカメラ１００はレンズ部５と本体部１とを互いに回動可能に軸支した回動型デジタルカメラであり、撮像レンズ７による撮像方向が本体部１の背面に設けられた液晶画面４の表示方向に対し可動に構成されている。デジタルカメラ１００の本体部１の正面（表側）にはストロボ発光部（以下、メインストロボ発光部）３を設け、レンズ部５にはＬＥＤ等の発光部（以下、サブストロボ発光部）６、撮像レンズ７、及び光量センサ等からなる光量検出部３２を配している。
また、図１（ｂ）は本体部１の背面図であり、背部にはストロボ設定ボタン２等のキー及び液晶画面４が設けられ、上部には電源キー８及びシャッターキー９を配している。  
図１（ｃ）はレンズ部５を左手で反時計回りに回動させた状態（つまり、向こう側にレンズ部５を回した状態）を示す図である。また、図１（ｄ）はレンズ部５を左手で時計回りに回動させた状態（つまり、レンズ部５を手前側に回した状態）を示す図である。  
図１（ｅ）はレンズ部５を本体部１に対して反時計回り又は時計回りに１８０゜回動させて、レンズ部５をデジタルカメラ１００の背面側に向けた状態を示す。この状態では撮影者が自分自身を被写体として撮影する「自分撮り」を行うことができる。
また、図示してないが、レンズ部５を本体部１に対して反時計回りに９０°回動させて、レンズ部５をデジタルカメラ１００の下方に向けて撮影する顕微鏡モードでの撮影を行うことができるし、レンズ部５を本体部１に対して時計回りに９０°回動させて、レンズ部５をデジタルカメラ１００の上方に向けて撮影することもできる。
【００２２】
ストロボ設定ボタン２は撮影モードにおいて、ユーザがストロボ撮影を行いたい場合に押すボタンであり、ストロボ設定ボタン２が押された場合はシャッターキー９の押し下げによりストロボ撮影を行うことができる。また、本実施例ではストロボ設定ボタン２のボタン部分は発光ダイオード等の発光素子を内部に含み、外側を透明プラスチック部材で成形したボタンを用いており、ストロボ発光部充電状態では赤、ストロボ発光部発光可能状態では青色に点灯し、それ以外の場合は消灯する。なお、ストロボ設定ボタン２を点灯させる代わりに、専用のストロボ発光部充電状態表示ランプをレンズ部５に設けるようにしてもよい。
【００２３】
メインストロボ発光部３は撮像レンズ７による撮像方向が液晶画面の表示方向と反対方向にある場合、つまり、撮像レンズ７の面が本体部１の正面と並行のときの撮影（いわゆる「相手撮り」）のときのみ発光可能に構成されている。なお、レンズ部５のサブストロボ発光部６の発光容量の上限（以下、発光容量上限）は本体部１のメインストロボ発光部３の発光容量上限より小さくすることが望ましい。
【００２４】
また、図示しないが、デジタルカメラ１００の背面にはモードスイッチ、メニューキー、十字キー、光学ファインダ、ストロボ発光部チャージランプ等を配しており、さらに、底面には、記録媒体として用いるメモリカードを着脱するためのメモリカードスロットや、外部のパーソナルコンピュータ等と接続するためのシリアルインターフェイスコネクタとして、例えばＵＳＢ（Universal Serial Bus）コネクタ等が設けられているものとする。
【００２５】
上記構成により、デジタルカメラ１００は、本体１にメインストロボ発光部３（第１のストロボ発光部）を設け、レンズ部５にメインストロボ発光部３より発光容量上限の小さなサブストロボ発光部（第２のストロボ発光部）６を設けることによりサブストロボ発光部６自体を小さくできるのでレンズ部５を小さくできることから、デジタルカメラ１００全体に対するレンズ部５の大きさに占める割合が小さくなるので、バランスのよいデジタルカメラを実現できる。
【００２６】
図２は上記デジタルカメラ１００の電子回路構成の一実施例を示す図である。  
図２で、デジタルカメラ１００は、メインストロボ発光部３、サブストロボ発光部６、基本モードである撮影モードにおいて合焦位置や絞り位置を移動させるモータ１１、撮像レンズ７を構成するレンズ光学系１２、撮像素子であるＣＣＤ１３、タイミング発生器（ＴＧ）１４、垂直ドライバ１５、サンプルホールド回路（Ｓ／Ｈ）１６、Ａ／Ｄ変換器１７、カラープロセス回路１８、ＤＭＡ（Direct Memory Access）コントローラ１９、ＤＲＡＭインターフェイス（Ｉ／Ｆ）２０、ＤＲＡＭ２１、制御部２２、ＶＲＡＭコントローラ２３、ＶＲＡＭ２４、デジタルビデオエンコーダ２５、表示部２６、ＪＰＥＧ回路２７、メモリカード２８、内蔵メモリ２９、キー入力部３０、回転検出部３１、光量検出部３２、メインストロボ発光部駆動部３３、サブストロボ発光部駆動部３４を備えている。なお、ＣＣＤは撮像素子の一例であってＣＭＯＳなど他の素子でもよい。
【００２７】
撮影モードでのモニタリング状態においては、モータ（Ｍ）１１の駆動により合焦位置や絞り位置が移動され、上記撮像レンズ１を構成する光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１画面分出力する。
【００２８】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換され、カラープロセス回路１８で画像補間処理及びγ補正処理を含むカラープロセス処理が行われて、デジタル値の輝度信号Ｙ及び色差信号Ｃｂ、Ｃｒが生成され、ＤＭＡ（Direct Memory  Access）コントローラ１９に出力される。
【００２９】
ＤＭＡコントローラ１９は、カラープロセス回路１８の出力する輝度信号Ｙ及び色差信号Ｃｂ、Ｃｒを、同じくカラープロセス回路１８からの複合同期信号、メモリ書き込みイネーブル信号、及びクロック信号を用いて一度ＤＲＭＡインターフェイス（Ｉ／Ｆ）２０を介して画像メモリやワークメモリとして使用されるＤＲＡＭ２１にＤＭＡ転送する。
【００３０】
制御部２２はＣＰＵ、ＲＡＭ、ＣＰＵで実行されるプログラムを記憶したフラッシュメモリ等のプログラム格納用ＲＯＭおよびタイマ等を有したマイクロプロセッサ構成を有しており、ＣＰＵは上述の各回路および図示しない電源切換えスイッチ等にバスラインを介して接続し、プログラム格納用ＲＯＭに格納されている制御プログラムによりデジタルカメラ１００全体の制御を司るものであり、上記輝度及び色差信号のＤＲＡＭ２１へのＤＭＡ転送終了後に、この輝度及び色差信号をＤＲＭＡインターフェイス２０を介してＤＲＡＭ２１から読出し、その時点での画像がモニタ画像としてリアルタイムに表示されるいわゆるビデオスルー画像（撮影待機画像）を表示するために、取込んだ画像データを間引いて表示メモリとしてのＶＲＡＭ２４に送る。
【００３１】
制御部２２は回転検出部３１からの検出信号により、本体部１に対するレンズ部５の回転角度を判定し、判定した回転角度に応じてメインストロボ発光部駆動部３３及び／又はサブストロボ発光部駆動部３４に駆動信号を送出し、メインストロボ発光部３及びサブストロボ発光部６の発光制御を行う（図３参照）。
【００３２】
制御部２２は、また、キー入力部３０からの状態信号に対応してプログラム格納用ＲＯＭに格納されている各モードに対応の処理プログラムやメニューデータを取り出して、デジタルカメラ１００の各機能の実行制御、例えば、撮像や記録画像の再生機能の実行等を行なう他、機能選択時の機能選択メニューの表示やレンズ部５の回動に対応するストロボ発光部発光制御やカーソル等で指定された選択機能メニューや画像の選択決定等を行う。
【００３３】
デジタルビデオエンコーダ２５は、上記輝度及び色差信号をＶＲＡＭコントローラ２３を介してＶＲＡＭ２４から定期的に読み出し、これらのデータを基にビデオ信号を生成して上記表示部２６に出力する。
【００３４】
表示部２６は、上述したように撮影モード時にはモニタ表示部（電子ファインダ）として機能するもので、デジタルビデオエンコーダ２５からのビデオ信号に基づいた表示を行うことで、その時点でＶＲＡＭコントローラ２３から取込んでいる画像情報に基づく画像を液晶画面４にリアルタイムに表示することになる。  
このように表示部２６にその時点での画像がモニタ画像としてリアルタイムに表示されているいわゆるスルー画像の表示状態で、静止画像表示を行いたいタイミングでキー入力部３０を構成する上記シャッターキー９を全押し操作するとトリガ信号（撮像指示信号）を発生する。
【００３５】
制御部２２はこのトリガ信号に応じてその時点でＣＣＤ１３から取込んでいる１画面分の輝度及び色差信号のＤＲＡＭ２１へのＤＭＡ転送の終了後、直ちにＣＣＤ１３からのＤＲＡＭ２１への経路を停止し、記録保存の状態に遷移する。
【００３６】
この保存記録の状態では、制御部２２がＤＲＡＭ２１に書込まれている１フレーム分の輝度及び色差信号をＤＲＡＭインターフェイス２０を介してＹ、Ｃｂ、Ｃｒの各コンポーネント毎に縦８画素×横８画素の基本ブロックと呼称される単位で読み出してＪＰＥＧ（Joint Photograph cording Experts Group）回路２７に書込み、このＪＰＥＧ回路２７でＡＤＣＴ（Adaptive Discrete Cosine Transform：適応離散コサイン変換）、エントロピ符号化方式であるハフマン符号化等の処理によりデータ圧縮する。  
そして得た符号データを１画像のデータファイルとしてＪＰＥＧ回路２７から読出し、デジタルカメラ１００の記録媒体として着脱自在に装着されるメモリカード２８か内蔵メモリ２９のいずれか一方に記録保存される。  
そして１フレーム分の輝度及び色差信号の圧縮処理及びメモリカード２８または内蔵メモリ２９への全圧縮データの書込み終了に伴って、制御部２２はＣＣＤ１３からＤＲＡＭ２１への経路を再び起動する。
【００３７】
また、基本モードである再生モード時には、制御部２２がメモリカード２８又は内蔵メモリ２９に記録されている画像データを選択的に読出し、ＪＰＥＧ回路２７で画像撮影モード時にデータ圧縮した手順とまったく逆の手順で圧縮されている画像データを伸張し、伸張した画像データをＶＲＡＭコントローラ２３を介してＶＲＡＭ２４に展開して記憶させた上で、このＶＲＡＭ２４から定期的に読出し、これらの画像データを元にビデオ信号を生成して表示部２６で再生出力させる。
【００３８】
上記ＪＰＥＧ回路２７は複数の圧縮率に対応しており、圧縮率に対応させて記憶するモードは圧縮率の低い高解像度（一般に、高精細、ファイン、ノーマルなどと呼ばれる）に対応するモードと圧縮率の高い低解像度（一般にエコノミーなどと呼ばれる）モードがある。  
また、高画素数から低画素数にも対応している。例えば、ＳＸＧＡ（１６００×１２００）、ＸＧＡ（１０２４×７８６）、ＳＶＧＡ（８００×６００）、ＶＧＡ（６４０×４８０）等と呼ばれる画素サイズがある。
【００３９】
キー入力部３０は、上述したストロボ設定ボタン２、電源キー８、及びシャッターキー９や、モードスイッチ、メニューキー、及び十字キー及びセットキー等から構成され、それらのキー操作に伴う信号は直接制御部２２に送出される。
【００４０】
回転検出部３１は例えばマイクロスイッチで構成され、本体部１側（或いは、レンズ部５側）に設けられている。回転検出部３１は、回動可能に構成されているレンズ部５と本体部１の位置関係の変化（例えば、レンズ部５の回転角θ）を検出して検出信号を制御部２２に送出する。  
ここではレンズ部５の回転角θが略０（ゼロ）のときをレンズ部５の撮像レンズ７が本体部１の正面（前面（液晶画面４とは反対面））側にある「相手撮り」位置にあるとし、略π（＝１８０°）のときをレンズ部５が本体部１の背面側にある「自分撮り」位置にあるとする。言い換えれば、被写体の撮像方向と液晶画面４の方向が略一致するときを「自分撮り」状態と判定する。  
なお、レンズ部５の回転角θが正方向（反時計回り）に略１／π（＝９０°）の位置にあるときは、レンズ部５の位置を顕微鏡モード撮影可能な「下向き」位置にあるとし、レンズ部５の回転角θが負方向（時計回り）に略１／π（＝９０°）の位置にあるときは、レンズ部５の位置を「下向き」位置にあると判定する。
【００４１】
光量検出部３２は光量センサ等から構成され、周辺光量を検出して検出値を制御部２２に送出する。
【００４２】
メインストロボ発光部駆動部３３は、静止画像撮影時に図示しないストロボ発光部用のコンデンサを充電した上で、制御部２２の制御によりメインストロボ発光部３を閃光起動させる。また、サブストロボ発光部駆動部３４は、静止画像撮影時や動画撮影時に図示しないストロボ発光部用のコンデンサを充電した上で、制御部２２の制御によりサブストロボ発光部６を閃光起動させる。
【００４３】
また、デジタルカメラ１００は詳述しないが静止画だけでなく動画の記録と再生が可能であるものとする。
【００４４】
図３は、レンズ部５の回動による制御部２２のストロボ発光制御動作を示すフローチャートである。ここで、デジタルカメラ１００は静止画撮影モード及び動画撮影モードを備えているものとする。以下に示す動作は基本的に予めフラッシュメモリ等のプログラム格納メモリに記憶したプログラムに従って制御部２２が実行するものである。  
【００４５】
図３で、撮影モードにおいて、制御部２２は撮像モードが静止画撮影モードか動画撮影モードかを調べ、静止画撮影モードの場合はＲＡＭに確保した前回角度保持エリア（図示せず）をゼロクリアしてからステップＳ２に進み、動画撮影モードの場合はステップＳ１７に進む（ステップＳ１）。
【００４６】
静止画撮影モードの場合は、制御部２２は回転検出部３１からの回転検出信号を基にレンズ部５の本体部１に対する回転角を算出し（ステップＳ２）、算出した回転角に応じてメインストロボ発光部３とサブストロボ発光部６のうちどのストロボ発光部を発光させるかを決定し、ＲＡＭに確保されているストロボ発光部設定テーブル５０（図５）の発光ストロボ発光フラグ５１又は５２に発光、非発光の別を設定する。ストロボ発光部の発光決定は、例えば、図４に示すようなストロボ発光部決定テーブル４０により決定することができる（ステップＳ３）。
【００４７】
次に、制御部２２はレンズ部５の回転停止判定を行う。回転停止判定は、例えば上記ステップＳ２で算出した回転角と前回角度保持エリアに保持した前回の回転角と今回の回転角を比較し、所定時間を経ても前回の回転角と今回の回転角の差が殆どない場合、すなわち、｜回転角と今回の回転角の差｜＜所定の閾値、の場合をレンズ部５の回転停止状態と判定できる。また、回転停止判定の他の代替手段として、回転検出部３１からの回転検出信号が所定時間以上ない場合をレンズ部５の回転停止状態と判定することもできる。レンズ部５の回転が停止していると判定した場合はステップＳ５に進み、停止していないと判定した場合は、上記ステップＳ２で算出した回転角を前回角度保持エリアに上書き記憶し、新たに回転角を算出するためにステップＳ２に戻る（ステップＳ４）。
【００４８】
レンズ部５の回転が停止した場合は、制御部２２はキー入力部３０からの状態信号を調べてストロボ設定ボタン２が押されたか否かを判定し、ストロボ設定ボタン２が押された場合にはステップＳ６に進み、ストロボ設定ボタン５が押されない場合は通常の静止画撮像モードによる撮影に遷移するためにステップＳ１３に進む（ステップＳ５）。
【００４９】
ストロボ設定ボタン２が押された場合は、制御部２２はストロボ発光部設定テーブル５０を調べ、発光設定されているストロボ発光部に対応するストロボ発光部駆動部（メインストロボ発光部駆動部３３又はサブストロボ発光部駆動部３４）を制御して発光設定されたストロボ発光部への電荷印加を開始すると共にストロボ設定ボタン２を点灯する。ストロボ発光部設定ランプ２はストロボ発光部充電状態では赤、ストロボ発光部発光可能状態では青色に点灯する（ステップＳ６）。
【００５０】
制御部２２は光量検出部３２からの周辺検出光量Ｌと撮像に必要とする光量（閾値φ）を比較し、Ｌ＜φの場合にはＳ８に移行する。また、Ｌ≧φの場合にはストロボ撮影不要としてストロボ発光部設定を解除しストロボ発光部表示ランプ２の点灯を中止すると共に、発光設定されているストロボ発光部（メインストロボ発光部３及び／又はサブストロボ発光部６）への電荷印加を中止し、通常の静止画撮像モードによる撮影に遷移するためにステップＳ１３に進む（ステップＳ７）。
【００５１】
制御部２２は、ＣＣＤ１３からの画像データを基にスルー画像を表示部２６の液晶画面４に表示しながら（ステップＳ８）、シャッターキー９が半押しされたか否かを調べ、シャッターキー９が半押しされた場合はステップＳ１０に進み、そうでない場合はシャッターキー９の半押しを待つ（ステップＳ９）。
【００５２】
シャッターキー９が半押しされた場合は、所定のフォーカスエリアにピントが合うようにＡＦ（オートフォーカス）処理を行い、ＡＦ処理が完了するとシャッターキー９の全押しを待つ（ステップＳ１０）。
【００５３】
ＡＦ処理完了後、ストロボ発光部が発光可能状態になった以降の任意のタイミングでユーザーがシャッターボタン９を全押しすると（ステップＳ１１）、制御部２０は発光設定されているストロボ発光部のストロボ発光部駆動部（メインストロボ発光部駆動部３３又はサブストロボ発光部駆動部３４）に発光指示信号を与え、発光設定されているストロボ発光部を発光させ、ステップＳ１６に進む（ステップＳ１２）。  
【００５４】
上記ステップＳ５でストロボ発光部設定がなされない場合又は上記ステップＳ７でストロボ発光不要と判定された場合は、通常の静止画撮像モードによる撮影を行う。つまり、制御部２２は、ＣＣＤ１３からの画像データを加工したビデオスルー画像データを表示部２６の液晶画面４に表示しながらシャッターキー９が半押しされたか否かを調べ、シャッターキー９が半押しされた場合はステップＳ１５に進み、そうでない場合はシャッターキー９の半押しを待ち（ステップＳ１３）、シャッターキー９が半押しされた場合は、所定のフォーカスエリアにピントが合うようにＡＦ処理を行い（ステップＳ１４）、ＡＦ処理が完了するとシャッターキー９の全押しを待ち（ステップＳ１５）、シャッターキー９が全押しされると発光時にＤＲＡＭ２１に取り込んだ画像データのＪＰＥＧ回路２７による圧縮処理、メモリカード２８又は内蔵メモリへの圧縮データの記録等の撮影処理を行なう（ステップＳ１６）。
【００５５】
動画撮影モードの場合は、サブストロボ発光部６のみを発光するように設定し（ステップＳ１７）、動画撮影処理を行う（ステップＳ１８）。
【００５６】
上記図３のフローチャートに示す動作により、デジタルカメラ１００はレンズ部５の回転の程度によってメインストロボ発光部３及びサブストロボ発光部６の発光を制御することができることからユーザはストロボ発光部の切替を意識しなくても最適な発光状態を実現でき、操作上の便宜性が向上する。  
さらに、発光量の大きなメインストロボ発光部３は「相手撮り」のように撮像レンズが本体前面側と同一方向にある場合のみ発光させ、その他の場合は発光量の少ないサブストロボ発光部６を発光させるので、充電待ち時間が短くて済む。
【００５７】
上記図３のステップＳ３では算出した回転角を基に後述のストロボ発光部決定テーブル４０（図４）で回転角区分に応じてメインストロボ発光部３とサブストロボ発光部６のうちどのストロボ発光部を発光させるかを決定し、ストロボ発光部設定テーブル５０（図５）のストロボ発光フラグ５１又は５２に発光、非発光の別を設定し、ステップＳ６でストロボ発光部設定テーブル５０で発光設定されているストロボ発光部を受電するように構成したが、ステップＳ３の発光決定をストロボ発光部決定テーブル４０を用いることなく個々に回転角を調べてストロボ発光部設定テーブル５０に発光設定するように構成してもよい。
【００５８】
図４は、回転角に対応したストロボ発光部決定テーブルの一実施例の説明図であり、ストロボ発光部発光設定テーブル４０は制御部２２のプログラム格納メモリに格納されており、レンズ部５の回転角に対応してストロボ発光部を決定するために用いることができる。
ストロボ発光部決定テーブル４０は回転角区分欄４１とメインストロボ発光部の発光決定を行うためのメインストロボ発光部発光フラグ欄４２及びサブストロボ発光部６の発光設定を行うためのサブストロボ発光部発光フラグ欄４３からなり、回転角区分及びストロボ発光部毎に発光、非発光の別を設定する。具体的には、図示のように、メインストロボ発光部発光フラグ欄４２にはメインストロボ発光部の発光の可否を決定するフラグ（発光＝１、非発光＝０）フラグが記憶され、サブストロボ発光部発光フラグ欄４３にはサブストロボ発光部の発光の可否を決定するフラグ（発光＝１、非発光＝０）フラグが記憶されている。なお、ストロボ発光部決定テーブル４０に予めフラグ値を標準設定し、ユーザが設定変更可能なように構成してもよい。
【００５９】
図４の例では、回転角をθとするとき、（１）レンズ部５の撮像レンズ７の面が本体部１の正面と並行の場合を回転角０とし、図１（ｃ）に示したようにレンズ部５を左手で反時計回り（前方（＝正方向））に回動させ、０≦θ≦４５°のとき、つまり、撮像レンズ７が正面側に停止しているときとレンズ部５を少し前方に回動させたときはメインスストロボ３を発光ストロボと決定し、（２）４５°＜θ≦１８０°のとき、つまり、レンズ部５を大きく前方に回動させたときと撮像レンズ７が顕微鏡撮影モードの場合のように下方を向いているとき（θ＝９０°）はサブストロボ発光部６を発光ストロボとして決定し、（３）図１（ｄ）に示したようにレンズ部５を左手で時計回り（手前側（＝負方向））に回動させ、−４５°≦θ＜０°のとき、つまり、レンズ部５を少し手前側に回動させたときはサブメインストロボ発光部３を発光ストロボと決定し、（４）−９０°≦θ＜−４５°のとき、つまり、レンズ部５をさらに手前側に回動させたときと撮像レンズ７の面が「自分撮り」の場合（θ＝−９０°）のように液晶表示部４の面と同一方向を向いて停止しているときはサブストロボ発光部６を発光ストロボとして決定し、（５）−１８０°＜θ＜−９０°のとき、つまり、レンズ部５をさらに大きく手前側に回動させたときもサブストロボ発光部６を発光ストロボとして決定するようにストロボ発光部決定テーブル４０にフラグ値が設定されている。  
【００６０】
なお、図４の（１）〜（５）の回転角区分において、（１）と（３）の場合、つまり、０≦θ≦４５と−４５≦θ＜０°のときはメインストロボ発光部３とサブストロボ発光部６を発光ストロボとして決定するようにメインストロボ発光部発光フラグ４２とサブストロボ発光部発光フラグ４３の値を１に設定してもよい。また、回転角区分は図４の例に限定されない。回転区分をさらに細分してもよいし、区分を少なくしてもよい。
【００６１】
図５はストロボ発光部設定テーブルの発光フラグ設定例を示す概念図であり、ストロボ発光部設定テーブル５０はストロボの種別を示すストロボ欄５１と発光フラグ欄５２からなり、発光フラグ欄５２には図示のようにレンズ部５の回転角に対応してストロボ発光部を発光させる場合はオン値（フラグ値＝１）、非発光の場合はオフ値（フラグ値＝０）が設定される。図５に示す例は、レンズ部５の回転角が、４５°＜θ≦１８０°、１８０°＜θ＜２７０°（−１８０°＜θ＜−４５°）の場合の設定値であり、メインストロボ発光部３は発光せず、サブストロボ発光部６を発光させるようにストロボ発光部設定テーブル５０が設定された例である。
【００６２】
＜変形例＞  
図４のストロボ発光決定テーブル４０のメインストロボ発光部発光フラグ欄４２及びサブストロボ発光部フラグ欄４３をそれぞれ充電比率欄とし、回転角区分に応じてストロボ発光部の充電容量の上限に対する充電比率を設定しておき、図５のストロボ発光部設定テーブル５０の発光フラグ欄５２にストロボ発光決定テーブル４０を基に決定された充電比率を記憶するように構成してもよい。このようにストロボ発光決定テーブル４０を構成することにより、回転角に応じてメインストロボ発光部３又はサブストロボ発光部６の発光量を変えることができる。       
【００６３】
また、ストロボ発光部３及びサブストロボ発光部６の双方を発光させる場合は、ベストショットモードのシーンやホワイトバランス等の撮影条件の状態に応じて回転各区分に対するメインストロボ発光部３及びサブストロボ発光部６の発光量配分を変えるようにしてもよい。発光量の配分はストロボ発光決定テーブル４０のメインストロボ発光部発光フラグ欄４２及びサブストロボ発光部フラグ欄４３に設定する受電比率を変えることで変更できる。ここで、ベストショットモードは、風景、夕日、花火、人物、・・等のサンプルを表示し、各サンプルに最適撮影条件（例えば、シャッタースピード、露出、ホワイトバランス等・・）をセットとして対応付けユーザがサンプルを選択すると対応する最適撮影条件を撮影条件として自動設定して撮影できるというものである。つまり、ベストショットモードは撮影条件設定の集合セットである。
【００６４】
以上、本発明のいくつかの実施例について説明したが本発明は上記各実施例に限定されるものではなく、種々の変形実施が可能であることはいうまでもない。
【図面の簡単な説明】
【００６５】
【図１】本発明の撮影方法を適用可能なレンズ部回動式デジタルカメラの外部構成の概要説明図である。
【図２】図１のデジタルカメラの電子回路構成の一実施例を示す図である。
【図３】レンズ部の回動による制御部のストロボ発光制御動作を示すフローチャートである。
【図４】回転角に対応したストロボ発光部決定テーブルの一実施例の説明図である。
【図５】ストロボ発光部設定テーブルの発光フラグ設定例を示す概念図である。
【図６】ストロボ発光部を備えたレンズ部回動型のデジタルカメラの従来例の説明図である。
【符号の説明】
【００６６】
１  本体部（本体）
３  メインストロボ発光部（第１のストロボ発光部）
５  レンズ部（撮像部）
６  サブストロボ発光部（第２のストロボ発光部）
７  撮像レンズ
２２  制御部（発光制御部）
３１  回転検出部
１００  デジタルカメラ（撮像装置）
【図１】
2006098857.tif 000003
【図２】
2006098857.tif 000004
【図３】
2006098857.tif 000005
【図４】
2006098857.tif 000006
【図５】
2006098857.tif 000007
【図６】
2006098857.tif 000008